(57)【特許請求の範囲】
【請求項１】
筐体内に電気電子機器を取付けるためのマウントアングルを備えた電気電子機器収納用箱であって、
前記筐体の底部を構成する枠状部材の奥行部に、前記電気電子機器へ配線されるケーブルを挿通するための配線部を形成するとともに、
この配線部よりも手前側及び奥側の両端に、前記マウントアングルを取付けるためのマウントアングル取付部を分割して配置し、
マウントアングルの筐体の内側に臨む側面の端部には、マウントアングル取付部側に形成された挿入孔に挿入される位置規制片が、マウントアングルの側面からくぼむように形成されており、この位置規制片を前記挿入孔の内面と当接させて固定する構造とし、
さらにこの位置規制片の先端には補強片が一体に形成されており、この補強片を前記挿入孔に連続させて形成された先端が幅狭となる溝部に挿通したことを特徴とする電気電子機器収納用箱。
【請求項２】
前記配線部は、前記奥行部の筐体内側位置を切欠いて形成されたことを特徴とする請求項１記載の電気電子機器収納用箱。
【発明の詳細な説明】
【技術分野】
【０００１】
本発明は、内部に電気電子機器を収納する電気電子機器収納用箱に関するものである。
【背景技術】
【０００２】
電気電子機器収納用箱の内部には、奥行フレームに固定されたマウントアングルを介して電気電子機器が収納されている。
【０００３】
マウントアングルと奥行フレームとの固定は、奥行フレームの左右端部を略９０°折り曲げて形成したマウントアングル取付部に、マウントアングルの端部を当接させて行われる（特許文献１）。しかしながら、このマウントアングル取付部は、奥行フレームの長手方向の端部間に亘るように形成されることから、電気電子機器への配線等を通すための配線部を奥行フレームに形成する場合には、マウントアングル取付部の存在により左右幅が小さい配線部となってしまい、多量のケーブルを配線することができない問題があった。
【先行技術文献】
【特許文献】
【０００４】
【特許文献１】特開２００１−３４５５８２号公報
【発明の概要】
【発明が解決しようとする課題】
【０００５】
本発明の目的は前記した従来の問題点を解決し、サイズの大きな配線部を形成することができる電気電子機器収納用箱を提供することである。
【課題を解決するための手段】
【０００６】
上記課題を解決するためになされた本発明は、筐体内に電気電子機器を取付けるためのマウントアングルを備えた電気電子機器収納用箱であって、前記筐体の底部を構成する枠状部材の奥行部に、前記電気電子機器へ配線されるケーブルを挿通するための配線部を形成するとともに、この配線部よりも手前側及び奥側の両端に、前記マウントアングルを取付けるためのマウントアングル取付部を分割して配置し、マウントアングルの筐体の内側に臨む側面の端部には、マウントアングル取付部側に形成された挿入孔に挿入される位置規制片が、マウントアングルの側面からくぼむように形成されており、この位置規制片を前記挿入孔の内面と当接させて固定する構造とし、さらにこの位置規制片の先端には補強片が一体に形成されており、この補強片を前記挿入孔に連続させて形成された先端が幅狭となる溝部に挿通したことを特徴とするものである。
【０００７】
請求項２記載の発明は、請求項１記載の電気電子機器収納用箱において、前記配線部は、前記奥行部の筐体内側位置を切欠いて形成されたことを特徴とするものである。
【発明の効果】
【０００８】
本発明に係る電気電子機器収納用箱は、筐体の底部を構成する枠状部材の奥行部に、電気電子機器へ配線されるケーブルを挿通するための配線部を形成するとともに、この配線部よりも手前側及び奥側の両端に、マウントアングルを取付けるためのマウントアングル取付部を分割して配置したものである。このようにマウントアングル取付部を奥行部に形成した配線部よりも手前側及び奥側の両端に分割して設けることで、奥行部の略中央に形成される配線部の左右幅を充分に確保することができるものとなるため、奥行フレームの長手方向に亘ってマウントアングル取付部を形成する従来技術と比較して、配線部のサイズを大きくすることができ、多量のケーブルを配線することが可能となる。
【０００９】
請求項２に係る発明のように、配線部は奥行部の筐体内側位置を切欠いて形成するものとした。これにより、ケーブルを筐体の下方の開口部に位置させておき、その後まとめて配線部側にケーブルを移動させることができるため、従来のように奥行フレームの中央部に形成された配線部にケーブルを挿通する作業が不要となり、作業性が良いものとなる。
【図面の簡単な説明】
【００１０】
【図１】参考形態の全体斜視図である。
【図２】参考形態の要部の拡大図である。
【図３】参考形態の上面図である。
【図４】実施形態１における下側のマウントアングルを示す斜視図である。
【図５】実施形態１の上面図である。
【図６】図４の分解図である。
【図７】図６を別角度からみた分解図である。
【図８】図４の断面図である。
【図９】実施形態２における下側のマウントアングルを示す斜視図である。
【図１０】実施形態２の上面図である。
【図１１】図９の分解図である。
【図１２】図９の断面図である。
【発明を実施するための形態】
【００１１】
以下に本発明の参考形態と実施形態を示す。
（参考形態）
図１において、電気電子機器収納用箱は、縦フレーム２と横フレーム３と奥行フレーム４とを枠状に組み合わせて、天井板１３や扉１４等を取付けた筐体１により構成されており、その内部には図示しない電気電子機器が収納される。また電気電子機器は、縦フレーム２と同一方向に延び、奥行フレーム４に対して固定されたマウントアングル５に取付けられる。
【００１２】
図２に示すように、マウントアングル５の下端に略直方体状のアダプタ６を設けるものとし、このアダプタ６の左右端部を、ねじ１２によって奥行フレーム４に形成されたマウントアングル取付部７に取付けるものとしている。アダプタ６の上面には、マウントアングル５の取付位置を筐体１の左右方向に変更可能とするための複数の取付孔８が形成されている。マウントアングル取付部７は、奥行フレーム４の左右端部を略９０°折り曲げて上方に延設されるものである。なお、マウントアングル取付部７には奥行フレーム４の長手方向に沿って複数の取付孔９が形成されており、これによりマウントアングル５の取付位置を筐体１の前後方向に変更可能としている。このように、アダプタ６の取付孔８及びマウントアングル取付部７の取付孔９とによって、マウントアングル５の取付位置を筐体１の前後左右に変更できるものとして、収納される電気電子機器のサイズ変更に対応可能としている。
【００１３】
ここで、図２及び図３に示すように、奥行フレーム４の中央部には電気電子機器への配線を通すための配線部１０が形成されており、さらに筐体１内側のマウントアングル取付部７ａは、配線部１０よりも手前側及び奥側の両端にそれぞれ分割して設けるものとした。このように奥行フレーム４の配線部１０よりも手前側及び奥側の両端にマウントアングル取付部７ａを分割して設けることにより、奥行フレーム４の中央部に形成される配線部１０の左右幅を充分に確保することができるものとなる。したがって、奥行フレームの長手方向に亘ってマウントアングル取付部を形成する従来技術と比較して、奥行フレーム４に形成される配線部１０のサイズを大きくすることができ、多量のケーブルを配線することが可能となる。なお、筐体１外側のマウントアングル取付部７ｂは、強度を高めるために奥行フレーム４の長手方向に亘って形成するものとしている。
【００１４】
また、従来は配線部が小さいがために、奥行フレームの両端に亘るように配線部を形成しているが、本発明により奥行フレーム４の中央部に大きなサイズの配線部１０を形成することができるため、奥行フレーム４の両端近辺に配線部１０を形成する必要がないものとなる。これにより、奥行フレーム４の両端ではその底面全体がアダプタ６の下端と当接することとなるため、アダプタ６を介して固定されるマウントアングル５を強固に支持することができる。
【００１５】
また、図３に示すように、配線部１０は奥行フレーム４の筐体１内側位置を切欠いて形成するものとしている。これにより、ケーブルを筐体１の下方の開口部１１に位置させておき、その後まとめて配線部１０側にケーブルを移動させることができるため、従来のように奥行フレームの中央部に形成された配線部にケーブルを挿通する作業が不要となり、作業性が良いものとなる。
【００１６】
以上のように、配線部１０の左右幅を大きく確保することにより多量のケーブルを挿通できるものとしているが、配線部１０のサイズが大きくなると、それに伴って奥行フレーム４の強度が低下するため、必要に応じて配線部１０のサイズを調整しても差し支えない。
【００１７】
なお、図１のように本参考形態では横フレーム３と奥行フレーム４とを枠状に組み合わせてなる枠状部材１５により筐体１の底面を構成し、かつ、この枠状部材１５の奥行部、すなわち奥行フレーム４に、前述したケーブルを挿通するための配線部１０を形成するものとしているが、その他にもフレームを有さないモノコック式の筐体１であっても良く、例えば筐体１の底部を構成する枠状の底板の奥行部に、前記配線部１０を形成することもできる。
【００１８】
また本参考形態では筐体１の下側の奥行フレーム４を用いて説明したが、上側の奥行フレーム４に配線部１０を形成する場合には、同様の構造とすることができることは言うまでもない。
【００１９】
（実施形態１）
図４には、マウントアングル５とアダプタ６との固定に関する別形態を示す。なお、実施形態１においても、図５に示すように、奥行フレーム４の中央部には電気電子機器への配線を通すための配線部１０が形成されており、さらに筐体１内側のマウントアングル取付部７ａは、配線部１０よりも手前側及び奥側の両端にそれぞれ分割して設けるものとしている。そして、このマウントアングル取付部７ａに、アダプタ６を介してマウントアングル５が各々取付けられる。このように奥行フレーム４の配線部１０よりも手前側及び奥側の両端にマウントアングル取付部７ａを分割して設けることにより、参考形態と同様に、奥行フレーム４の中央部に形成される配線部１０の左右幅を充分に確保することができるものとなる。
【００２０】
図４のように、アダプタ６は垂直断面略コ字状であり、その上面には、前後方向に亘り等間隔の孔部として形成された複数の第１挿入孔１６及び第２挿入孔１７を備えている。また第１挿入孔１６には、下方に向かって徐々に幅狭となる溝部１８が連通して形成されている。
【００２１】
また、マウントアングル５は水平断面略コ字状であり、さらに筐体１内側に臨む側面の下端には、前後方向に並列配置された２つの第１位置規制片１９を有している。この第１位置規制片１９は、図６乃至図８に示すように、マウントアングル５の側面の一部をその内側方向に傾斜するよう折り曲げ、さらに下方に折り曲げることで、マウントアングル５の側面から凹むように形成した板状のものである。そしてこの第１位置規制片１９の下端には、第１位置規制片１９よりも幅狭に形成した板状の補強片２１が、マウントアングル５の側面とつながるように一体に形成されている。
【００２２】
ここで、第１位置規制片１９の前後方向の幅は第１挿入孔１６に挿通可能な幅とし、補強片２１の前後方向の幅は溝部１８に挿通可能な幅としている。また、溝部１８の上部と第１挿入孔１６とが連通する連通部２２の幅は、第１位置規制片１９よりも幅狭に形成するものとしてあり、またアダプタ６側面のうち連通部２２が形成された箇所には係止片６ａが突出して形成されている。
【００２３】
したがって、図８に示すように、アダプタ６に形成された第１挿入孔１６及び溝部１８に、マウントアングル５に形成された第１位置規制片１９及び補強片２１を上方から挿入することで、第１位置規制片１９と連通部２２との距離が徐々に短くなり、マウントアングル５がアダプタ６側に徐々に引き寄せられることとなる。そして、補強片２２が溝部１８の最下端まで到達すると、第１位置規制片１９の筐体１内側に臨む面が、係止片６ａの内面と当接して係止されることとなる。なお、溝部１８は上方が広く、かつ下方に向かって徐々に幅狭となるよう形成されているため、挿通された補強片２１を容易にガイドできるものとなる。また、図７のように、アダプタ６に形成された第２挿入孔１７には、マウントアングル５の下方端部から突出形成した第２位置規制片２０が挿入される。ここで、第２位置規制片２０は、第１位置規制片１９よりも外側となる位置に形成されるものとして、マウントアングル５がその捩れ方向への荷重に強くなるという作用効果を奏するものとしている。このように、アダプタ取付金具６の前後方向に複数の第１挿入孔７及び第２挿入孔８を形成することで、マウントアングル５の取付位置を筐体１内で変更可能としている。
【００２４】
以上の構成により、アダプタ６に形成された第１挿入孔１６及び溝部１８に、マウントアングル５に形成された第１位置規制片１９及び補強片２１を上方から挿入して係止することで、ツールレスで容易にマウントアングル５の取付け、取外し作業を行うことができ、作業性が高いものとなる。
【００２５】
（実施形態２）
図９乃至図１２に示す実施形態２は、実施形態１におけるマウントアングル５とアダプタ６との固定を、引き寄せ部材２３を設けることによってさらに強固なものとした形態である。また、第１及び第２の実施形態と同様、図１０のように、奥行フレーム４の中央部には電気電子機器への配線を通すための配線部１０が形成されており、さらに筐体１内側のマウントアングル取付部７ａは、配線部１０よりも手前側及び奥側の両端にそれぞれ分割して設けるものとしている。
【００２６】
図１１のように、奥行フレーム４及びアダプタ６の各側面には、それぞれ略同一サイズの爪係止孔２４が前後方向に亘り複数形成されている。この爪係止孔２４には、図９のように、マウントアングル５をアダプタ６側、より詳細には、マウントアングル５をその荷重方向に引き寄せて固定するための引き寄せ部材２３が係止されて取付けられる。この引き寄せ部材２３は、図１１のように、板状のベース部２５と、その下端に形成された爪部２６と、バネ２７とを備えており、この爪部２６が前記した爪係止孔２４に係止されて図１２に示す状態となる。ここで、爪係止孔２４は、マウントアングル５の取付位置を前後方向に変更可能とするために、第１挿入孔１６及び第２挿入孔１７に対応して形成するものとしている。
【００２７】
図１１のように、マウントアングル５の側面には、斜め上方に延びるよう形成した引っ掛け部２８が設けられている。そしてこの引っ掛け部２８に引き寄せ部材２３の先端を引っ掛けた上で、バネ２７の張力によりマウントアングル５をアダプタ６側に引き寄せて強固に固定するものとしている。また、マウントアングル５をその荷重方向に引き寄せて固定するものとして、マウントアングル５がアダプタ６に対して上下方向に位置規制されることとなり、抜け止めの効果を奏するものとしている。
【符号の説明】
【００２８】
１  筐体
２  縦フレーム
３  横フレーム
４  奥行フレーム
５  マウントアングル
６  アダプタ
６ａ  係止片
７  マウントアングル取付部
８  取付孔
９  取付孔
１０  配線部
１１  開口部
１２  ねじ
１３  天井板
１４  扉
１５  枠状部材
１６  第１挿入孔
１７  第２挿入孔
１８  溝部
１９  第１位置規制片
２０  第２位置規制片
２１  補強片
２２  連通部
２３  引き寄せ部材
２４  爪係止孔
２５  ベース部
２６  爪部
２７  バネ
２８  引っ掛け部
【図１】
0006651248.tif 000002
【図２】
0006651248.tif 000003
【図３】
0006651248.tif 000004
【図４】
0006651248.tif 000005
【図５】
0006651248.tif 000006
【図６】
0006651248.tif 000007
【図７】
0006651248.tif 000008
【図８】
0006651248.tif 000009
【図９】
0006651248.tif 000010
【図１０】
0006651248.tif 000011
【図１１】
0006651248.tif 000012
【図１２】
0006651248.tif 000013